(57)【要約】【課題】防水性を有し、かつ組み付け作業が容易なＬＥＤ実装基板収容容器を提供すること。【解決手段】ＬＥＤ素子１１が実装された回路基板１０と、回路基板１０に一端を接続された少なくとも１本の電線Ｗを容器の外部に引き出して回路基板１０を収容するＬＥＤ実装基板収容容器１であって、光透過性の材料からなり、箱型形状の一面に開口４０ａが形成されたハウジング４０と、開口４０ａを塞ぐ弾性材のシール部材２０と、開口４０ａを覆うようにハウジング４０と嵌合するシールド部３０とを有してなり、ハウジング４０は、ハウジング４０内にシール部材２０を保持する保持部４４を有してなり、シール部材２０は、電線Ｗの直径とほぼ等しい直径の貫通孔２０ａが少なくとも１つ形成されてなり、シールド部３０は、回路基板１０を固定保持し、ハウジング４０とシールド部３０とが嵌合した場合、回路基板１０をハウジング４０内に配置する回路基板保持部３２を有してなる。【選択図】図３
2012124084.tif 000002
【特許請求の範囲】
【請求項１】
ＬＥＤ素子が実装された回路基板と、該回路基板に一端を接続された少なくとも１本の電線を容器の外部に引き出して前記回路基板を収容するＬＥＤ実装基板収容容器であって、
光透過性の材料からなり、箱型形状の一面に開口が形成されたハウジングと、
前記ハウジングの開口を塞ぐ弾性材からなるシール部材と、
前記ハウジングの開口を覆うように前記ハウジングと嵌合するシールド部と、
を有してなり、
前記ハウジングは、
前記ハウジング内に前記シール部材を保持する保持部を有してなり、
前記シール部材は、
前記電線の直径とほぼ等しい直径の貫通孔が少なくとも１つ形成されてなり、
前記シールド部は、
前記回路基板を固定保持し、前記ハウジングと前記シールド部とが嵌合した場合、前記回路基板を前記ハウジング内に配置する回路基板保持部を有してなることを特徴とするＬＥＤ実装基板収容容器。
【請求項２】
前記ハウジングは、
前記シールド部と嵌合する際、前記回路基板保持部を前記ハウジング内にガイドする溝、または、リブが前記ハウジングの内面に形成されてなることを特徴とする請求項１に記載のＬＥＤ実装基板収容容器。
【請求項３】
前記回路基板保持部は、
前記電線を該電線の延在方向で少なくとも２箇所をずらして保持する電線固定部を有してなることを特徴とする請求項１または２に記載のＬＥＤ実装基板収容容器。
【請求項４】
前記シールド部は、
前記ハウジングの開口を覆う箱形形状の嵌合部を有してなり、
前記回路基板保持部は、
前記嵌合部の底面に立設された長方形状の板状部を設けてなり、
前記回路基板は、
前記板状部の長手方向で前記嵌合部と反対側の端部側に固定されてなり、
前記電線は、
前記板状部の長手方向で位置をずらして配置された前記電線固定部によって固定保持されてなることを特徴とする請求項３に記載のＬＥＤ実装基板収容容器。
【発明の詳細な説明】
【技術分野】
【０００１】
本発明は、ＬＥＤ素子が実装された回路基板を収容するＬＥＤ実装基板収容容器に関する。
【背景技術】
【０００２】
従来、ＬＥＤ（発光ダイオード）素子が実装された回路基板を収容するＬＥＤ実装基板収容容器は、絶縁性等の性能を維持するため、収容容器内の所定の位置に精度よく配置されることが重要となる。そこで簡易な構成で、回路基板の位置精度を維持するようにしたＬＥＤ照明ユニットが提案されている（例えば、特許文献１参照）。
【０００３】
この特許文献１に記載されたＬＥＤ照明ユニットは、ＬＥＤ実装基板が収容容器の凹部底面に接する絶縁性の支持台から立設された支持脚部により保持され、収容容器の凹部の底面から離間されて配置されている。
【先行技術文献】
【特許文献】
【０００４】
【特許文献１】特開２００９−１５８１４４号公報
【発明の概要】
【発明が解決しようとする課題】
【０００５】
しかしながら、この特許文献１に記載されたＬＥＤ照明ユニットは、防水性を高めるためには、充填材を注入しなければならないため、組みつけ作業が煩雑になってしまうという問題があった。
【０００６】
本発明は、上記に鑑みてなされたものであって、防水性を有し、かつ容易に組み付けることができるＬＥＤ実装基板収容容器を提供することを目的とする。
【課題を解決するための手段】
【０００７】
上述した課題を解決し、目的を達成するために、本発明の請求項１にかかるＬＥＤ実装基板収容容器は、ＬＥＤ素子が実装された回路基板と、該回路基板に一端を接続された少なくとも１本の電線を容器の外部に引き出して前記回路基板を収容するＬＥＤ実装基板収容容器であって、光透過性の材料からなり、箱型形状の一面に開口が形成されたハウジングと、前記ハウジングの開口を塞ぐ弾性材からなるシール部材と、前記ハウジングの開口を覆うように前記ハウジングと嵌合するシールド部と、を有してなり、前記ハウジングは、前記ハウジング内に前記シール部材を保持する保持部を有してなり、前記シール部材は、前記電線の直径とほぼ等しい直径の貫通孔が少なくとも１つ形成されてなり、前記シールド部は、前記回路基板を固定保持し、前記ハウジングと前記シールド部とが嵌合した場合、前記回路基板を前記ハウジング内に配置する回路基板保持部を有してなることを特徴とする。
【０００８】
また、本発明の請求項２にかかるＬＥＤ実装基板収容容器は、上記の発明において、前記ハウジングは、前記シールド部と嵌合する際、前記回路基板保持部を前記ハウジング内にガイドする溝、または、リブが前記ハウジングの内面に形成されてなることを特徴とする。
【０００９】
また、本発明の請求項３にかかるＬＥＤ実装基板収容容器は、上記の発明において、前記回路基板保持部は、前記電線を該電線の延在方向で少なくとも２箇所をずらして保持する電線固定部を有してなることを特徴とする。
【００１０】
また、本発明の請求項４にかかるＬＥＤ実装基板収容容器は、上記の発明において、前記シールド部は、前記ハウジングの開口を覆う箱形形状の嵌合部を有してなり、前記回路基板保持部は、前記嵌合部の底面に立設された長方形状の板状部を設けてなり、前記回路基板は、前記板状部の長手方向で前記嵌合部と反対側の端部側に固定されてなり、前記電線は、前記板状部の長手方向で位置をずらして配置された前記電線固定部によって固定保持されてなることを特徴とする。
【発明の効果】
【００１１】
本発明の請求項１にかかるＬＥＤ実装基板収容容器は、ＬＥＤ素子が実装された回路基板と、該回路基板に一端を接続された少なくとも１本の電線を容器の外部に引き出して前記回路基板を収容するＬＥＤ実装基板収容容器であって、光透過性の材料からなり、箱型形状の一面に開口が形成されたハウジングと、前記ハウジングの開口を塞ぐ弾性材からなるシール部材と、前記ハウジングの開口を覆うように前記ハウジングと嵌合するシールド部と、を有してなり、前記ハウジングは、前記ハウジング内に前記シール部材を保持する保持部を有してなり、前記シール部材は、前記電線の直径とほぼ等しい直径の貫通孔が少なくとも１つ形成されてなり、前記シールド部は、前記回路基板を固定保持し、前記ハウジングと前記シールド部とが嵌合した場合、前記回路基板を前記ハウジング内に配置する回路基板保持部を有してなるので、防水性を有し、かつ容易に組み付けることができる。
【００１２】
本発明の請求項２にかかるＬＥＤ実装基板収容容器は、上述した請求項１と同様の効果を奏するとともに、前記シールド部と前記ハウジングとを嵌合させる際、前記ハウジングの内面に形成された溝、または、リブによってガイドされながら、前記回路基板保持部が前記ハウジング内に挿入されるので、前記シールド部と前記ハウジングとを容易に嵌合することができる。
【００１３】
本発明の請求項３にかかるＬＥＤ実装基板収容容器は、上述した請求項１と同様の効果を奏するとともに、前記電線が前記電線固定部によって屈曲した状態で固定さるため、ストレインリリーフの効果によって、前記電線と前記回路基板の端子との接続部に前記電線にかかる引っ張り力が直接的に作用しないため、前記電線の端子との接続安定性を向上することができる。
【００１４】
本発明の請求項４にかかるＬＥＤ実装基板収容容器は、上述した請求項１と同様の効果を奏するとともに、前記電線が前記電線固定部によって屈曲した状態で固定されているため、ストレインリリーフの効果によって、前記電線と前記回路基板の端子との接続部に前記電線にかかる引っ張り力が直接的に作用しないため、前記電線の端子との接続安定性を向上することができる。
【図面の簡単な説明】
【００１５】
【図１】図１は、本発明の実施の形態にかかるＬＥＤ実装基板収容容器を有してなるＬＥＤ照明ユニットの構成を示す斜視図である。
【図２】図２は、図１に示したＬＥＤ照明ユニットの正面図である。
【図３】図３は、図１に示したＬＥＤ照明ユニットのＡ−Ａ断面図である。
【図４】図４は、図１に示したマットシールの斜視図である。
【図５】図５は、図１に示した電線固定部の拡大図である。
【図６】図６は、図１に示したマットシールカバーの上面図である。
【図７】図７は、図１に示したハウジングの斜視図である。
【図８】図８は、本発明の実施の形態のＬＥＤ実装基板収容容器を有してなるＬＥＤ照明ユニットを組み付ける手順を示した図である。
【図９】図９は、本発明の実施の形態のＬＥＤ実装基板収容容器を有してなるＬＥＤ照明ユニットを組み付ける手順を示した図である。
【図１０】図１０は、本発明の実施の形態のＬＥＤ実装基板収容容器を有してなるＬＥＤ照明ユニットを組み付ける手順を示した図である。
【図１１】図１１は、図１に示したハウジングの変形例を示した図である。
【発明を実施するための形態】
【００１６】
以下、図面を参照して、本発明にかかるＬＥＤ実装基板収容容器の好適な実施の形態を詳細に説明する。
【００１７】
（実施の形態）
図１は、本発明の実施の形態にかかるＬＥＤ実装基板収容容器１を有してなるＬＥＤ照明ユニット１００の構成を示す斜視図である。図２は、図１に示したＬＥＤ照明ユニット１の正面図である。図３は、図１に示したＬＥＤ照明ユニット１のＡ−Ａ断面図である。図４は、図１に示したマットシール２０の斜視図である。図５は、図１に示した電線固定部３４の拡大図である。図６は、図１に示したマットシールカバー３０の上面図である。図７は、図１に示したハウジング４０の斜視図である。
なお、便宜上、図１〜図７の図中矢印方向を、前方向、後方向、上方向、下方向として説明する。
ＬＥＤ照明ユニット１００は、ＬＥＤが実装された回路基板１０と、回路基板１０を収容するＬＥＤ実装基板収容容器１とを有してなる。
【００１８】
回路基板１０は、いわゆるプリント配線板によって実現され、電源回路等の導体パターンが形成されている。この回路基板１０は、基板表面にＬＥＤ素子１１が実装されている。また、この実施の形態では、回路基板１０は、基板上に形成された端子１２を介して、信号線、あるいは給電線としての３本の電線Ｗに接続している。各電線Ｗは、半田付け処理等を行うことによって端子１２に接続される。
【００１９】
ＬＥＤ素子１１は、箱状のパッケージの上面に発光部があり、図示しない電源入力端子が回路基板１０の図示しない電源回路に接続されている。図示しない電源回路は、基板上に設けられた端子１２を介して３本の電線Ｗに接続される。ＬＥＤ素子１１は、電源回路を介して電源を供給されることによって点灯する。
【００２０】
ＬＥＤ実装基板収容容器１は、マットシール２０と、マットシールカバー３０と、ハウジング４０とを有してなる。
マットシール２０は、ゴム等の軟質弾性材からなる板状のシール部材である。このマットシール２０は、図４に示すように、電線挿通孔２０ａおよび板部挿通口２０ｂが形成されている。
電線挿通孔２０ａは、防水性を維持しつつ電線Ｗを挿通可能に形成された孔である。この電線貫通孔１０ａは、電線Ｗの直径とほぼ等しい径であり、マットシール２０の厚み方向に貫通して形成される。
この実施の形態では、マットシール２０に３つの電線挿通孔２０ａが形成されている。なお、電線挿通孔２０ａの数は３つに限定されず、挿通させる電線Ｗの数に応じた数の電線挿通孔２０ａを形成すればよい。例えば、挿通させる電線Ｗが１本である場合、電線挿通孔２０ａは、１つ形成するようにしてもよい。
板部挿通口２０ｂは、防水性を維持しつつ後述する板状部３２ａを挿通可能に形成された開口である。板部挿通口２０ｂは、マットシール２０の表面のほぼ中心位置に形成され、後述する板状部３２ａの長手方向に直交する断面の外形にほぼ等しく形成された開口である。
【００２１】
マットシールカバー３０は、絶縁樹脂からなる。このマットシールカバー３０は、防水機能を有してなるシールド部として、ハウジング４０の開口４０ａを覆うようにハウジング４０と嵌合するものである。また、マットシールカバー３０は、嵌合部３１および回路基板保持部３２を有してなる。
【００２２】
嵌合部３１は、ハウジング４０の開口側の外周面と嵌合する部分である。この嵌合部３１は、外形が４角形状の主壁３１ａと、主壁３１ａの４辺より立設する周側壁３１ｂとを有し、主壁３１ａに対向する一面が開口された箱型形状である。
主壁３１ａは、主壁３１ａの表面のほぼ中心位置に矩形状の開口部３１ｃが形成されてなる。
周側壁３１ｂは、第１のハウジング係合部３１ｄおよび第２のハウジング係合部３１ｅを有してなる。
【００２３】
第１のハウジング係合部３１ｄは、図３に示すように、嵌合部３１の開口側縁部の内周に沿って凹状に形成された溝部分である。この第１のハウジング係合部３１ｄは、ハウジング４０と嵌合する際、ハウジング４０の後述する第１のランス部と係合するようになっている。
【００２４】
第２のハウジング係合部３１ｅは、図６に示すように、周側壁３１ｂを形成する４面のうち一面のほぼ中心位置に形成された矩形状の開口である。この第２のハウジング係合部３１ｅは、ハウジング４０と嵌合する際、ハウジング４０の後述する第２のランス部と係合される。
【００２５】
回路基板保持部３２は、図３に示すように、主壁３１ａ表面のほぼ中心位置に立設した長方形状の板状部３２ａを有してなる。この回路基板保持部３２は、板状部３２ａ上の所定位置に回路基板１０を載置し、固定するものである。この板状部３２ａの板状部の長手方向の幅、および長手方向に直交する方向の幅は、載置される回路基板１０のこれに対応する幅に比して大きく形成されている。
また、回路基板保持部３２は、柱状突起部３３およびクランプ部３４を有してなる。
【００２６】
柱状突起部３３は、板状部３２ａの表面から柱状に突起した部分である。この柱状突起部３３は、回路基板固定部として、回路基板１０を板状部３２ａ上の所定位置で固定するためのものである。回路基板１０は、回路基板１０に形成された貫通孔１０ａに柱状突起部３３を挿通させることによって、板状部３２ａ上の所定位置で固定される。
【００２７】
クランプ部３４は、電線固定部として、電線Ｗの一部を板状部３２ａ上に固定保持するものである。このクランプ部３４は、板状部３２ａ上に８つ設けられている。クランプ部３４は、柱状部材からなり、図５に示すように、この柱状部材を縦方向で２つに分離する切り込み３４ａが形成されている。電線Ｗは、切り込み３４ａに圧入されることによって、クランプ部３４に固定される。このように、クランプ部３４によって固定された電線Ｗの一部は所定位置で確実に固定される。
また、各電線Ｗは、クランプ部３４によって、電線Ｗの延在方向で固定箇所をずらして保持される。すなわち、各電線Ｗは、板状部３２ａの長手方向で位置をずらして配置されたランプ部３４に固定保持されることによって、屈曲した状態で固定される。
【００２８】
より具体的には、図２に示すように、クランプ部３４は、板状部３２ａの長手方向で、板状部３２ａの前側位置および後側位置にそれぞれ３箇所ずつ、中間位置に２箇所ずつ設けられている。各電線Ｗは、回路基板１０の近傍の後側位置のクランプ部３４１、中間位置のクランプ部３４２、前側位置のクランプ部３４２に固定される。各電線Ｗは、クランプ部３４２に固定される場合、板状部３２ａの長手方向に直交する方向でクランプ部３４１から離れた位置のクランプ部３４２に固定される。また、電線Ｗは、クランプ部３４３に固定される場合、板状部３２ａの長手方向に直交する方向でクランプ部３４２から離れた位置のクランプ部３４３に固定される。
【００２９】
ハウジング４０は、光透過性を有する絶縁樹脂からなる。このハウジング４０は、外形が４角形状の板状壁４１と、板状壁の４辺より立設する周側壁４２とを有し、板状壁４１に対向する一面が開口した箱型形状である。
ハウジング４０は、収容部４３と、マットシールカバー保持部４４と、溝部４５と、マットシールカバー係合部４６とを有してなる。
【００３０】
収容部４３は、ＬＥＤ素子１１が実装された回路基板１０を収容する収容部である。
マットシール保持部４４は、ハウジング４０の開口側縁部の内面に形成され、マットシール２０を保持する部分である。マットシール保持部４４は、図３に示すように、開口４０ａから後方に向けてマットシールカバーの厚みＴ１の幅で、ハウジング４０の内周面の外形をマットシールの厚み方向に直交する断面の外形にほぼ等しく形成した部分である。マットシールカバー保持部４４は、段差部４４ａを有し、この段差部４４ａによってマットシールの保持位置を規制する。
【００３１】
溝部４５は、ハウジング４０とマットシールカバー３０とを組み付ける際、板状部３２ａの短手方向で向かい合う両縁をガイドするガイド部として機能するものである。溝部４５は、図７に示すように、ハウジング４０の対向する一対の周側壁４２の内側に、ハウジング４０の開口４０ａから板状壁４１に向けて直線状に形成される一対の溝部である。この一対の溝部４５の各溝部４５は、溝幅Ｔ２が板状部３２ａの厚さとほぼ等しく形成されている。
【００３２】
マットシールカバー係合部４６は、第１のランス部４６１と、第２のランス部４６２とを有してなる。
第１のランス部４６１は、第１のハウジング係合部３１ｄの凹部に係合するものである。この第１のランス部４６１は、ハウジング４０の開口側縁部の外周に沿って形成され、後方に向けて漸次厚みを増すように傾斜して形成された傾斜面４６１ａを有してなる。
第２のランス部４６２は、第２のハウジング係合部３１ｅに係合するものである。この第２のランス部４６２は、周側壁４２の一面のほぼ中心位置に形成され、後方に向けて漸次厚みを増すように傾斜して形成された傾斜面４６２ａを有してなる。
【００３３】
次に、ＬＥＤ照明ユニット１００の組み付け手順について図８〜図１０を用いて説明する。図８〜図１０は、本発明の実施の形態のＬＥＤ実装基板収容容器１を有してなるＬＥＤ照明ユニット１００を組み付ける手順を示した図である。
【００３４】
まず、作業者は、マットシール２０の板部挿通口２０ｂにマットシールカバー３０の板状部３２ａを通して、マットシール２０をマットシールカバー３０の主壁３１ａ近傍位置に配置させる（図８（ａ）参照）。このマットシールカバー３０の挿入の際、マットシール２０の弾性を利用して、板部挿通口２０ｂを広げながら板状部３２ａを通すようにする。
【００３５】
その後、作業者は、各電線Ｗの一端を半田付けされた回路基板１０をマットシールカバー３０の板状部３２ａに固定する（図８（ｂ）参照）。回路基板１０は、回路基板１０に形成された貫通孔１０ａに柱状突起部３３を通して板状部３２ａ上に載置されることによって、板状部３２ａ上の所定位置に固定される。
【００３６】
その後、作業者は、各電線Ｗをマットシール２０の電線挿通孔２０ａに通してマットシールカバー３０の開口部３１ｃから引き出す（図９（ｃ）参照）。
【００３７】
その後、作業者は、各電線Ｗをクランプ部３４に固定する（図９（ｄ）参照）。各電線Ｗをクランプ部３４によって固定する際、各電線Ｗが屈曲するようにする。すなわち、各電線Ｗが、板状部３２ａの長手方向で位置をずらして配置されたランプ部３４に固定保持されるようにする。
【００３８】
その後、作業者は、マットシールカバー３０とハウジング４０とを嵌合させる（図１０（ｅ）参照）。これによって、ＬＥＤ照明ユニット１が完成される。マットシール３０とハウジング４０とを嵌合させる際、板状部３２ａの短手方向で向かい合う両縁が溝部４５によってガイドされながら、板状部３２ａがハウジング４０内に挿入される。また、ハウジング係合部３１と、マットシールカバー係合部４６とが係合しているので、マットシールカバー３０とハウジング４０とが嵌合を保持させるための保持力を加えられた状態で嵌合状態が維持される。このように、マットシールカバー３０とハウジング４０とが嵌合することによって、回路基板１０は、ハウジング４０内の所定の位置に配置され、ＬＥＤ素子１１から光が出射した際、その光はハウジング４０の壁を透過してハウジング４０外に出射される。
【００３９】
なお、上述の組み付け手順では、電線Ｗを電線挿通孔２０ａに通してからクランプ部３４に固定することとしていたが、これに限定されない。電線Ｗのクランプ部３４への固定と、並行して電線Ｗを電線挿通孔２０ａに通してもよい。
【００４０】
本発明の実施の形態のＬＥＤ実装基板収容容器１は、光透過性の材料からなり、箱型形状の一面に開口４０ａが形成されたハウジング４０と、ハウジング４０の開口４０ａを塞ぐ弾性材からなるマットシール２０と、ハウジング４０の開口４０ａを覆うようにハウジング４０と嵌合するマットシールカバー３０と、を有し、ハウジング４０は、ハウジング４０内にマットシール２０を保持するマットシール保持部４４を有し、マットシール２０は、電線Ｗの直径とほぼ等しい直径の電線挿通孔２２ａが挿通される電線Ｗの数と等しく３つ形成され、マットシールカバー３０は、回路基板１０を固定保持する板状部３２ａを有し、回路基板１０は、ハウジング４０とマットシール２０とが嵌合した場合、ハウジング４０内に配置されるので、防水性を有し、かつ容易に組み付けることができる。
【００４１】
また、本発明の実施の形態のＬＥＤ実装基板収容容器１は、マットシールカバー３０とハウジング４０とを嵌合させる際、板状部３２ａの短手方向で向かい合う両縁が溝部４５によってガイドされながら、板状部３２ａがハウジング４０の収容部４３内に挿入されるので、マットシールカバー３０とハウジング４０とを容易に嵌合することができる。
【００４２】
また、本発明の実施の形態のＬＥＤ実装基板収容容器１は、電線Ｗが屈曲した状態で固定されているため、ストレインリリーフの効果によって、電線Ｗと端子１２との接続部に電線Ｗにかかる引っ張り力が直接的に作用しないため、この電線Ｗと端子１２との接続安定性を向上することができる。
【００４３】
また、本発明の実施の形態のＬＥＤ実装基板収容容器１は、ハウジング４０が透過性を有するため、ＬＥＤ素子１１から出射された光の強度を低下させないようにしてハウジング４０外に光を出射させることができる。
【００４４】
また、本発明の実施の形態のＬＥＤ実装基板収容容器１は、各電線Ｗは、クランプ部３４の切り込み３４ａに圧入されるので、電線Ｗの一部をクランプ部３４によって確実に固定させることができる。
【００４５】
なお、本発明の実施形態のＬＥＤ実装基板収容容器１は、電線固定部としてのクランプ部３４が、切り込み３４ａに電線Ｗが圧入されることによって、電線Ｗを保持するものを例示したが、これに限らない。すなわち、ハウジング４０内の各電線Ｗが、端子１２位置から電線貫通孔２０ａに挿通されるまでの間で、少なくとも１箇所を屈曲させて固定することができれば、その他の固定手段を用いてもよい。
【００４６】
また、本発明の実施形態のＬＥＤ実装基板収容容器１は、８つのクランプ部３４が設けられるものを例示したが、これに限らず、クランプ部３４は、電線Ｗを電線Ｗの延在方向で少なくとも２箇所をずらして保持することができればよい。すなわち、各電線Ｗの少なくとも１箇所を屈曲させて固定することができればよい。
【００４７】
また、本発明の実施形態のＬＥＤ実装基板収容容器１は、ハウジング４０とマットシールカバー３０とを組み付ける際、板状部３２ａの短手方向で向かい合う両縁をガイドするガイド部として溝部４５を例示したが、これに限らない。例えば、図１１に示すように、ガイド部としてリブ５１を用いてもよい。このようにリブ５１をガイド部として用いた場合も、マットシールカバー３０とハウジング４０とを嵌合させる際、板状部３２ａの短手方向で向かい合う両縁がリブ５１によってガイドされながら、板状部３２ａがハウジング４０の収容部４３内に挿入されるので、マットシールカバー３０とハウジング４０とを容易に嵌合することができる。
【００４８】
また、本発明の実施形態のＬＥＤ実装基板収容容器１は、第１のハウジング３１ｄ係合部、第２のハウジング係合部３１ｅ、第１のランス部４６１、第２のランス部４６２によって係合するものを例示したが、これに限らない。すなわち、マットシールカバー３０とハウジング４０とが嵌合を保持させるための保持力を加えられた状態で嵌合状態が維持されるものであれば、その他の係合手段を用いてもよい。
【００４９】
なお、この実施の形態によってこの発明が限定されるものではない。
【符号の説明】
【００５０】
１      ＬＥＤ実装基板収容容器
１０    回路基板
１０ａ  貫通孔
１１    ＬＥＤ素子
１２    端子
２０    マットシール
２０ａ  電線挿通孔
２０ｂ  板部挿通口
３０    マットシールカバー
３１    嵌合部
３１ａ  主壁
３１ｂ  周側壁
３１ｃ  開口部
３１ｄ  第１のハウジング係合部
３１ｅ  第２のハウジング係合部
３２    回路基板保持部
３２ａ  板状部
３３    柱状突起部
３４、３４１、３４２、３４３  クランプ部
３４ａ  切り込み
４０、５０  ハウジング
４０ａ  開口
４１    板状壁
４２    周側壁
４３    収容部
４４    マットシール保持部
４４ａ  段差部
４５    溝部
４６    マットシールカバー係合部
５１    リブ
４６１  第１のランス部
４６１ａ、４６２ａ  傾斜面
４６２  第２のランス部
１００  ＬＥＤ照明ユニット
Ｗ      電線
【図１】
2012124084.tif 000003
【図２】
2012124084.tif 000004
【図３】
2012124084.tif 000005
【図４】
2012124084.tif 000006
【図５】
2012124084.tif 000007
【図６】
2012124084.tif 000008
【図７】
2012124084.tif 000009
【図８】
2012124084.tif 000010
【図９】
2012124084.tif 000011
【図１０】
2012124084.tif 000012
【図１１】
2012124084.tif 000013